(57)【要約】【課題】これまで交換や取り外しが事実上不可能とされていた、機体に複数段若しくは複数列に設けられた重量のある加熱装置や冷却装置を、各段若しくは各列ごとに交換（取り外し）することを可能としたこれまでにない画期的な複数の引出体を水平スライド引き出し自在に設けた収納装置を提供すること。【解決手段】立設状態に設置される機体１の引出収納部１Ａに引出体２を水平スライド引出自在にして複数段若しくは複数列設け、この引き出した引出体２若しくはこの引出体２に離反自在に設けた交換可能部材２Ａを吊り上げる吊上昇降装置３若しくはこの吊上昇降装置３を付設する取付部４を前記機体１の上部位置に設けて、前記機体１の引出収納部１Ａから引き出した状態の前記引出体２の上方に前記吊上昇降装置３を配設し得るように構成した複数の引出体を水平スライド引き出し自在に設けた収納装置。【選択図】        図１
2005015171.tif 000002
【特許請求の範囲】
【請求項１】
立設状態に設置される機体の引出収納部に引出体を水平スライド引出自在にして複数段若しくは複数列設け、この引き出した引出体若しくはこの引出体に離反自在に設けた交換可能部材を吊り上げる吊上昇降装置若しくはこの吊上昇降装置を付設する取付部を前記機体の上部位置に設けて、前記機体の引出収納部から引き出した状態の前記引出体の上方に前記吊上昇降装置を配設し得るように構成したことを特徴とする複数の引出体を水平スライド引き出し自在に設けた収納装置。
【請求項２】
前記引出収納部の上部に、前記引出体を引き出す方向に突出する突出部を設けて前記取付部を設けたことを特徴とする請求項１記載の複数の引出体を水平スライド引き出し自在に設けた収納装置。
【請求項３】
前記引出収納部の上部に前記突出部を複数設け、この突出部間に前記吊上昇降装置を付設する架設部材を配設して前記取付部を構成したことを特徴とする請求項２記載の複数の引出体を水平スライド引き出し自在に設けた収納装置。
【請求項４】
前記吊上昇降装置を前記機体の上部位置左右に夫々配設したことを特徴とする請求項１〜３のいずれか１項に記載の収納装置。
【請求項５】
前記吊上昇降装置を前記取付部の左右に夫々配設したことを特徴とする請求項１〜４いずれか１項に記載の複数の引出体を水平スライド引き出し自在に設けた収納装置。
【請求項６】
前記引出体を水平スライド引き出しする際、この引き出しをガイドすると共に引き出された引出体の両端部を支承する引出支承延長設置枠部を、前記引出収納部の引出スライドガイド部を延長状態にして引出収納部の引出側に突設し、この機体の前記引出支承延長設置枠部の上部に前記吊上昇降装置若しくはこの吊上昇降装置を付設する取付部を設けたことを特徴とする請求項１〜５いずれか１項に記載の複数の引出体を水平スライド引出自在に設けた収納装置。
【発明の詳細な説明】
【０００１】
【発明の属する技術分野】
本発明は、複数の引出体を水平スライド引き出し自在に設けた収納装置に関するものである。
【０００２】
【従来の技術及び発明が解決しようとする課題】
例えば水で洗浄処理した基板を熱乾燥し、該熱乾燥により熱せられた基板をスムーズに冷却して次の工程に移行させるための装置として、ＨＰ−ＣＰ装置（ホットプレートコールドプレート装置）が知られている。
【０００３】
このＨＰ−ＣＰ装置は、枠材で上下多段に構成した収納体（機体）の各段に加熱装置や冷却装置を配設して成り、容易に掃除やメンテナンス等が行えるように、この各段の加熱装置や冷却装置を、枠材に付設したガイドレールなどの支承ガイドを介して水平スライド引き出しできるように構成している。
【０００４】
そして、微細な塵や埃がほとんど除去されたクリーンルーム内において、収納体に上下多段に配設した加熱装置や冷却装置の夫々に基板を搬入搬出し、複数の基板を熱乾燥，冷却処理する。
【０００５】
ところで、この収納体の各段に配設される加熱装置や冷却装置には非常に重いものがある。
【０００６】
即ち、大型の基板（例えば１５００ｍｍ×１８００ｍｍ）を熱乾燥処理，冷却処理する際には、当然ながら、この大型の基板を搬入搬出できる大型の加熱装置や冷却層装置（例えば２０６０ｍｍ×１７５０ｍｍ）で行われることとなり、この場合、例えば加熱装置に収納され熱源となるヒーター部はおよそ４００ｋｇを有し、同じく加熱装置に収納され前記ヒーター部からの熱を均一に基板に伝えるための均熱板はおよそ２００ｋｇを有し、その他の加熱装置等に付属される備品類を加えると装置全体でおよそ８００ｋｇにもなる。
【０００７】
このため、故障などにより、機体に収納された加熱装置や冷却装置を交換したり、機体から取り外して修理する必要が生じても、事実上、機体から前記加熱装置等を取り外すことができなかった。
【０００８】
即ち、例えば機体から加熱装置等を取り外す手段として重機を用いることが考えられるが、ＨＰ−ＣＰ装置を例えばクリーンルーム内に配設して使用する場合には、クリーンルーム内に前記加熱装置等の交換のためだけに重機を設備することは手間がかかる上にコスト高となるため極めて困難であり、これにより、重量のある加熱装置等を吊上移動できるような重機等を設備することはできず、よって、加熱装置等が故障するなどして交換する必要が生じたり、修理のために機体から取り外す必要が生じても、やむを得ず、この交換を要する故障した加熱装置を機体に収納したまま放置し、この加熱装置等を配設した段は使用せず、それ以外の段の加熱装置等を使用して熱乾燥処理，冷却処理を行い、経時によって複数ある加熱装置等のうちの多くが故障してから、ＨＰ−ＣＰ装置自体を再購入していたのが現状である。
【０００９】
本発明は、これまで交換や取り外しが事実上不可能とされていた、機体に複数段若しくは複数列に設けられた重量のある加熱装置や冷却装置を、各段若しくは各列ごとに交換（取り外し）することを可能としたこれまでにない画期的な複数の引出体を水平スライド引き出し自在に設けた収納装置を提供することを目的としている。
【００１０】
【課題を解決するための手段】
添付図面を参照して本発明の要旨を説明する。
【００１１】
立設状態に設置される機体１の引出収納部１Ａに引出体２を水平スライド引出自在にして複数段若しくは複数列設け、この引き出した引出体２若しくはこの引出体２に離反自在に設けた交換可能部材２Ａを吊り上げる吊上昇降装置３若しくはこの吊上昇降装置３を付設する取付部４を前記機体１の上部位置に設けて、前記機体１の引出収納部１Ａから引き出した状態の前記引出体２の上方に前記吊上昇降装置３を配設し得るように構成したことを特徴とする複数の引出体を水平スライド引き出し自在に設けた収納装置に係るものである。
【００１２】
また、前記引出収納部１Ａの上部に、前記引出体２を引き出す方向に突出する突出部４Ａを設けて前記取付部４を設けたことを特徴とする請求項１記載の複数の引出体を水平スライド引き出し自在に設けた収納装置に係るものである。
【００１３】
また、前記引出収納部１Ａの上部に前記突出部４Ａを複数設け、この突出部４Ａ間に前記吊上昇降装置３を付設する架設部材７を配設して前記取付部４を構成したことを特徴とする請求項２記載の複数の引出体を水平スライド引き出し自在に設けた収納装置に係るものである。
【００１４】
また、前記吊上昇降装置３を前記機体１の上部位置左右に夫々配設したことを特徴とする請求項１〜３のいずれか１項に記載の収納装置に係るものである。
【００１５】
また、前記吊上昇降装置３を前記取付部４の左右に夫々配設したことを特徴とする請求項１〜４いずれか１項に記載の複数の引出体を水平スライド引き出し自在に設けた収納装置に係るものである。
【００１６】
また、前記引出体２を水平スライド引き出しする際、この引き出しをガイドすると共に引き出された引出体２の両端部を支承する引出支承延長設置枠部１Ｂを、前記引出収納部１Ａの引出スライドガイド部１Ｃを延長状態にして引出収納部１Ａの引出側に突設し、この機体１の前記引出支承延長設置枠部１Ｂの上部に前記吊上昇降装置３若しくはこの吊上昇降装置３を付設する取付部４を設けたことを特徴とする請求項１〜５いずれか１項に記載の複数の引出体を水平スライド引出自在に設けた収納装置に係るものである。
【００１７】
【発明の実施の形態】
好適と考える本発明の実施の形態（発明をどのように実施するか）を、図面に基づいてその作用効果を示して簡単に説明する。
【００１８】
立設状態に配置される機体１の引出収納部１Ａに水平スライド引出自在にして複数段若しくは複数列設けた引出体２を、前記機体１の引出収納部１Ａに対して引き出し、機体１の上部位置に設けた吊上昇降装置３若しくは機体１の上部位置に設けた取付部４に取り付けた吊上昇降装置３の吊り上げ，吊り下ろし作動により、引出収納部１Ａから前記引出体２若しくはこの引出体２に離反自在に設けた交換可能部材２Ａを吊り上げ，吊り下ろしして機体１から取り外し、この取り外した引出体２若しくは交換可能部材２Ａとは別の引出体２若しくは交換可能部材２Ａを、前記吊上昇降装置３の吊り上げ，吊り下ろし作動により吊り上げ，吊り下ろしして前記機体１に取り付けることで、引出体２若しくは交換可能部材２Ａを交換（取り外し修理）できることとなる。
【００１９】
従って、機体１の引出収納部１Ａに収納された重量のある前記引出体２若しくは前記交換可能部材２Ａを交換することができる。
【００２０】
即ち、例えばクリーンルームに機体１を配設した際、このクリーンルームに重量のある引出体２や交換可能部材２Ａを吊り上げ，吊り下ろし移動するための重機を手間やコストをかけて設けずとも、機体１の引出収納部１Ａに複数段若しくは複数列設けられた引出体２若しくは交換可能部材２Ａのうち、所定の引出体２若しくは交換可能部材２Ａを交換することができる。
【００２１】
また、この際、引出収納部１Ａから引き出した状態の引出体２の上方に吊上昇降装置３を配設することで、引出収納部１Ａから引出体２を単に引き出すだけで、この引き出した引出体２若しくは引出体２に離反自在に設けた交換可能部材２Ａを吊上昇降装置３により吊り上げ，吊り下ろし可能な状態にでき、これにより、前記引出体２を引出収納部１Ａから引き出し、この引き出した引出体２若しくは交換可能部材２Ａを単に吊上昇降装置３により吊り上げ，吊り下ろしするだけで、前記引出体２若しくは前記交換可能部材２Ａを交換でき、よって、簡易に作業性良く前記引出体２若しくは前記交換可能部材２Ａの交換（取り外し修理）を行えることとなる。
【００２２】
また、前記引出収納体１Ａの上部に、前記引出体２を引き出す方向に突出する突出部４Ａを設けて前記取付部４を設ければ、前記作用効果を発揮し得る収納装置を簡易な構成にして容易に設計実現可能となるなど、一層実用的となる。
【００２３】
また、例えば、前記引出収納部１Ａの上部に前記突出部４Ａを複数設け、この突出部４Ａ間に前記吊上昇降装置３を付設する架設部材７を配設して前記取付部４を構成すれば、引出収納部１Ａの上部に吊上昇降装置３を取り付けるための十分なスペースを容易に確保することができ、その上、架設状態に構成された取付部４に吊上昇降装置３を取り付けることで、前記取付作業が容易に行え、これにより、簡易に本発明の収納装置を形成することができる。
【００２４】
また、吊上昇降装置３を、前記突出部４Ａにより架設された架設部材７に付設することで、吊上昇降装置３を引出収納部１Ａの上部に安定して取り付けることができ、その上、例えば重量のある引出体２を吊り上げた前記吊上昇降装置３を、前記突出部４Ａによって架設された架設部材７によって安定して支承できるため、秀れた支承強度（吊り上げ強度）を発揮して重量のある引出体２若しくは交換可能部材２Ａをスムーズに吊り上げ，吊り下ろしでき、よって、秀れた作業性を発揮することができる。
【００２５】
また、前記突出部４Ａによって架設された架設部材７に吊上昇降装置３を設けることで、この吊上昇降装置３を突出部４Ａ間の任意の位置に取り付けることができ、これにより、必要に応じて吊上昇降装置３を設ける位置を調整することができ、よって、引出体２若しくは交換可能部材２Ａを吊り上げるに最適な位置に前記吊上昇降装置３を付設することができる。
【００２６】
また、架設部材７に複数の吊上昇降装置３を取り付けることで、複数の吊上昇降装置３により、重量のある引出体２をより一層安定して吊り上げ，吊り下げすることができる。
【００２７】
例えば、前記吊上昇降装置３を前記機体１の上部位置左右に夫々配設すれば、引出体２の左右端部を前記吊上昇降装置３により吊り上げ，吊り下げして前記引出体２を安定して吊り上げ，吊り下げすることができるなど、一層実用的となる。
【００２８】
また、例えば、前記吊上昇降装置３を前記取付部４の左右に夫々配設すれば、吊上昇降装置３を簡易に取り付けて前記作用効果をより良好に発揮できることとなるなど、一層実用的となる。
【００２９】
また、例えば、前記引出体２を水平スライド引き出しする際、この引き出しをガイドすると共に引き出された引出体２の両端部を支承する引出支承延長設置枠部１Ｂを、前記引出収納部１Ａの引出スライドガイド部１Ｃを延長状態にして引出収納部１Ａの引出側に突設し、この機体１の前記引出支承延長設置枠部１Ｂの上部に前記吊上昇降装置３若しくはこの吊上昇降装置３を付設する取付部４を設ければ、機体１の引出収納部１Ａから引出体２を水平スライド引き出しすると、この引出体２は引出スライドガイド部１Ｃ及び延長した引出スライドガイド部１Ｃによってガイドされ支承されつつ引出収納部１Ａの引き出し側に引き出されることとなる。
【００３０】
そして、この引き出した引出体２を支承する引出支承延長設置枠部１Ｂの上部位置に設けた吊上昇降装置３若しくは吊上昇降装置３を付設するための取付部４に取り付けた吊上昇降装置３の吊り上げ，吊り下ろし作動によって前記引き出した引出体２若しくは前記交換可能部材２Ａを吊り上げ，吊り下ろしして前記引出体２若しくは前記交換可能部材２Ａを交換できることとなる。
【００３１】
また、吊上昇降装置３を引出支承延長設置枠部１Ｂの上部に設けたことで、引出体２若しくは交換可能部材２Ａを滑車等を介さずに吊上昇降装置３により吊り上げ，吊り下ろしでき、簡易に設計実現可能となる。
【００３２】
また、引出収納部１Ａから引き出された引出体２は、引出支承延長設置枠部１Ｂを構成する延長された引出スライドガイド部１Ｃにより安定支承されるため、引出収納部１Ａから必要に応じて複数の引出体２を引き出すことができる。
【００３３】
即ち、機体１から引出体２を複数引き出しても、これら引き出した引出体２は夫々引出支承延長設置枠部１Ｂを構成する引出スライドガイド部１Ｃによって確固に支承されるため、機体１の重心が片寄ることがなく、これにより、機体１から引出体２を複数引き出せることで、例えばメンテナンス作業などを非常にスムーズに行えることとなり、秀れた作業性を発揮できることとなる。
【００３４】
また、吊上昇降装置３を機体１の上部位置左右に夫々配設したため、引出体２の左右どちらか一方側を他方側よりも上昇若しくは下降させることで前記引出体２を傾けることができ、この傾けた状態で前記吊上昇降装置３により引出体２を吊り上げ，吊り下げできることで、引出体２を支承するために前記引出体２の全巾よりも巾狭に設定された引出支承延長設置枠部１Ｂを構成する引出スライドガイド部１Ｃ間を通過可能となり、これにより、前記引出体２若しくは前記交換可能部材２Ａの交換をより簡易且つスムーズに行えることとなるなど、一層実用的となる。
【００３５】
【実施例】
本発明の具体的な実施例について図面に基づいて説明する。
【００３６】
図１〜図４に示す第一実施例、及び、図５，図６に示す第二実施例は、例えば水で洗浄処理した基板を熱乾燥し、該乾燥により加熱された基板をスムーズに冷却して次の工程に移行させるための装置であるＨＰ−ＣＰ装置（ホットプレートコールドプレート装置）に関するものである。
【００３７】
このＨＰ−ＣＰ装置は、枠材で上下多段に構成した収納体の各段に加熱装置や冷却装置を配設して成り、容易に掃除やメンテナンス等が行えるように、この各段の加熱装置や冷却装置を、枠材に付設した引出スライドガイド部１Ｃを介して水平スライド引き出しできるように構成したものである。
【００３８】
即ち、立設状態に設置される機体１の引出収納部１Ａに引出体２を水平スライド引出自在にして複数段若しくは複数列設けた構成としている。
【００３９】
第一実施例及び第二実施例は、機体１の引出収納部１Ａに引出体２を複数段設けた構成としている。
【００４０】
第一実施例
第一実施例は、機体１を平面視コ字形の立設枠体で形成し、この機体１の引出収納部１Ａの上部に後述の吊上昇降装置３を付設するための取付部４を突出状態に設けた収納装置に関するものである。
【００４１】
具体的には、図１，図２に示すように、平面視コ字形に形成した機体１の左右側部には、引出収納部１Ａに収納される引出体２の引き出しをガイドすると共に引き出された引出体２の両端部を支承する引出スライドガイド部１Ｃを設けている。
【００４２】
即ち、この引出スライドガイド部１Ｃは、機体１の左右側面部位の上下方向に所定間隔を置いて並設状態に設けた構成としている。
【００４３】
また、この引出スライドガイド部１Ｃは、引出体２を引出収納部１Ａの引出側に十分に引き出した際にも、前記引出体２の両端部を支承できるように、前記引出収納部１Ａの引出側に突没動自在に設けた構成としている。
【００４４】
これにより、引出体２を引出スライドガイド部１Ｃに沿って機体１（引出収納部１Ａ）の引出側に向けてスライド引出自在となる。
【００４５】
引出体２は、加熱装置若しくは冷却部材若しくはＨＭＤＳ装置とした構成としている。
【００４６】
また、交換可能部材２Ａを例えば加熱装置内に収納されるヒータ部８や均熱板９としている。
【００４７】
例えば、引出体２となる加熱装置は、前記ヒータ部８及びこのヒータ部８の熱を加熱する基板の全面に均一に伝えるための前記均熱板９を前記加熱装置内に収納した構成としている。即ち、引出体２は、加熱装置本体となる開閉自在な収納箱体にヒータ部８及び均熱板９を収納して成る構成としている。
【００４８】
尚、第一実施例及び第二実施例を示す図面においては、加熱装置本体となる収納箱体の開閉動作に関する部位についての図示は省略している。
【００４９】
機体１の上部位置に引出体２若しくはこの引出体２に離反自在に設けた交換可能部材２Ａを吊り上げる吊上昇降装置３を付設するための取付部４を設けた構成としている。
【００５０】
第一実施例では、吊上昇降装置３としてチェーンブロックを採用している。
【００５１】
この吊上昇降装置３は、電動としても良いし手動としても良い。
【００５２】
尚、第一実施例では、吊上昇降装置３としてチェーンブロックを採用した構成としたが、重量物を吊上昇降し得る装置であれば適宜採用しても良い。
【００５３】
取付部４は、機体１の上部左右側部を構成する枠体から、引出収納部１Ａの引出側に突出部４Ａとなる枠体４Ａ（以下、突出枠体４Ａという。）を所定長さ突設して構成している。
【００５４】
具体的には、取付部４は、図１に示すように、引出収納部１Ａの上部から突出する左右の突出枠体４Ａと、この左右の突出枠体４Ａ間に架設される架設部材７とにより構成している。
【００５５】
即ち、左右の突出枠体４Ａの上面部間に架設部材７を架設載置することで前記取付部４を構成している。
【００５６】
架設部材７は、図１に示すように、方形箱状枠体とした構成としている。
【００５７】
そして、この架設部材７に吊上昇降装置３を設けた構成としている。
【００５８】
この架設部材７の大きさは、突出部４Ａ上に安定して架設載置され、且つ、吊上昇降装置３を安定支承し得る大きさに設定している。
【００５９】
尚、第一実施例では、架設部材７を方形箱状枠体としたが、吊上昇降装置３を付設できるものであれば適宜採用しても良く、例えば突出枠体４Ａ間に棒状の枠材を複数本架設して前記架設部材としても良いし、突出枠体４Ａ間に板状体を架設して前記架設部材としても良い。
【００６０】
突出部４Ａと架設部材７との連結は、例えば突出部４Ａとなる突出枠体４Ａの基端部近傍に固定手段（図示省略）を設け、この固定手段により載置部材７を連結固定することで行われる。
【００６１】
これにより、簡易な構成にして容易に取付部４を機体１に設けることができる。
【００６２】
架設部材７に付設する吊上昇降装置３は、前記架設部材７に対してスライド移動可能に設けた構成としている。
【００６３】
即ち、吊上昇降装置３及び架設部材７にスライド移動機構６を設け、このスライド移動機構６により吊上昇降装置３を前後方向若しくは左右方向にスライド移動し得るように構成している。これにより、引出体２と吊上昇降装置３とを吊上移動可能に連結する際や、吊上昇降装置３によって引出体２を吊上昇降する際等に、必要に応じて吊上昇降装置３をスライド移動させて引出体２をより安定してスムーズに昇降でき、よって、秀れた作業性を発揮することができる。
【００６４】
第一実施例では、スライド移動機構６を、吊上昇降装置３に設けたスライド滑車部３Ａと、このスライド滑車部３Ａがスライド移動し得る、架設部材７上部に付設したガイドレール部７Ａとから形成した構成としている。
【００６５】
具体的には、架設部材７の上部にして引出体２の引出方向にガイドレール部７Ａを架設し、このガイドレール部７Ａに吊上昇降装置３のスライド滑車部３Ａを取り付けることで、ガイドレール部７Ａに対して吊上昇降装置３を吊り下げ状態でスライド移動自在に取り付けた構成としている。
【００６６】
更に具体的には、図２に示すように、ガイドレール部７Ａを架設部材７の左右両端側よりもやや中央寄りに架設した構成としている。
【００６７】
これは、ガイドレール部７Ａに取り付けられるスライド滑車部３Ａが引出体２の引出方向（即ち、前後方向）に良好にスライド移動し得るようにするためである。
【００６８】
従って、吊上昇降装置３は、ガイドレール部７Ａに沿って前後方向にスライド移動してもスライド滑車部３Ａが架設部材７の左右側端部と当接することがなく、これにより、スムーズな吊上昇降装置３のスライド移動を実現することができる。
【００６９】
前記吊上昇降装置３を前記機体１の上部位置左右に夫々配設した構成としている（図１〜図３参照）。
【００７０】
具体的には、取付部４の左右、即ち、前述のように、架設部材７の上部左右に架設したガイドレール部７Ａに前記吊上昇降装置３を夫々設けた構成としている。
【００７１】
これにより、引出収納部１Ａから引出体２となる例えば加熱装置をスライドさせて引き出し、この引き出した加熱装置若しくは加熱装置内のヒーター部８や均熱板９等の左右部にチェーンを固定し、吊上昇降装置３により例えば加熱装置等を所定高さ吊り上げた後（図４参照）、加熱装置を引き出すに伴って引き出された引出スライドガイド部１Ｃを引出収納部１Ａ内に収納し、前記左右の吊上昇降装置３により前記加熱装置等を下降させ、例えば機体１の下部（吊上昇降装置３の下方）に配した台車等に前記加熱装置等を載置して前記引出収納部１Ａから前記加熱装置等を取り外す。
【００７２】
そして、別の加熱装置等（再購入した加熱装置等）を台車等により機体１の下部（吊上昇降装置３の下方）に配置し、この別の加熱装置等と吊上昇降装置３とをチェーン等で連結し所定高さ上昇させ、前記加熱装置等を取り外した部位の引出スライドガイド部１Ｃを引き出して前記別の加熱装置等を前記引出スライドガイド部１Ｃに載置して新しい加熱装置等を取り付けることができる。
【００７３】
尚、第一実施例では、吊上昇降装置３により、引出収納部１Ａに収納した引出体２となる加熱装置や冷却装置等を交換し得る構成としたが、吊上昇降装置３により、機体１に組み込まれる加熱装置等以外の重量のある装置を交換し得る構成としても良いし、機体１の一部を構成する例えば重量のある枠体などを交換し得る構成としても良い。これにより、人力では交換できない重量のある装置等を容易に交換して修理作業やメンテナンス作業を行うことができる。
【００７４】
また、第一実施例では、引出収納部１Ａの上部に突設した突出部４Ａ間に架設部材７を配設し、この架設部材７に吊上昇降装置３を取り付けた構成としたが、架設部材７を設けずに、前記突出部４Ａに直接吊上昇降装置３を設けても良い。
【００７５】
即ち、例えば、突出部４Ａとなる前記突出枠体４Ａの先端部を互いに近接する方向に折曲することで前記突出枠体４ＡをＬ字状に形成し、この機体１の左右側部よりも中央にやや突出した部位に吊上昇降装置３を設けても良い。
【００７６】
また、例えば、突出枠体４Ａの先端を互いに近接する方向に折曲することで前記突出枠体４ＡをＬ字状に形成すると共に、突出枠体４Ａ基端部間に枠体を架設し、前記Ｌ字状の突出枠体４Ａ先端と前記架設枠体とに吊上昇降装置３を取り付けるための取付材を架設してこの取付材に吊上昇降装置３を設けても良い。
【００７７】
第二実施例
第二実施例は、第一実施例において平面視コ字形に形成した機体１の遊離端部（左右両前面端部）上に前記吊上昇降装置３を付設するための取付部４を設けた収納装置に関するものである。
【００７８】
即ち、機体１を、機体本体（以下、本体１Ｅという。）と、この本体１Ｅに対して延長付設され、引出体２を水平スライド引き出しする際、この引き出しをガイドすると共に引き出された引出体２の両端部を支承する引出支承延長設置枠部１Ｂとから形成した構成としている。
【００７９】
具体的には、図５に示すように、平面視コ字形に形成した本体１Ｅの遊離両端部を引出収納部１Ａの引出側に所定長さ延設することで前記引出支承延長設置枠部１Ｂを設けた構成としている。
【００８０】
また、機体１の左右側部には、引出体２の引き出しをガイドすると共に引き出された引出体２の両端部を支承する引出スライドガイド部１Ｃを設けている。
【００８１】
即ち、この引出スライドガイド部１Ｃは、本体１Ｅの左右側面部位の上下方向に所定間隔を置いて並設状態に設けられ、更に、引出収納部１Ａの引出側に、機体１の遊離両端部まで延設して形成した構成としている。
【００８２】
これにより、引出体２は引出スライドガイド部１Ｃに沿って機体１（引出収納部１Ａ）の引出側に向けてスライド引出自在となる。
【００８３】
前記引出支承延長設置枠部１Ｂの形成長さ、即ち、平面視コ字形の本体１Ｅの遊離両端部の延設長さ、及び、引出スライドガイド部１Ｃの延設長さは、引出収納部１Ａから引出体２を完全に引き出すことができ、且つ、引き出した際に、この引き出した引出体２を引出支承延長設置枠部１Ｂを構成する引出スライドガイド部１Ｃによって安定して支承し得る長さに設定した構成としている。
【００８４】
具体的には、引出体２を引出収納部１Ａから引き出した状態とした際の機体１の重心よりも更に引出収納部１Ａの引出側に、本体１Ｅの遊離両端部から延設された機体１の両端部が位置するように、前記平面視コ字形の本体１Ｅの遊離両端部の延設長さを設定した構成としている。
【００８５】
これにより、引出体２を引出収納部１Ａからすべて引き出した状態としても、機体１の重心よりも引出側に延設された前記機体１の両端部により確固に接地され、よって、機体１が転倒する懸念は生じない。
【００８６】
例えば、本体１Ｅの遊離両端部を、加熱装置若しくは冷却装置などの引出体２の半分の長さ（縦巾）よりも長く、引出側に延設して機体１（引出支承延長接地枠部１Ｂ）を形成する構成とすることで、引出体２を引出収納部１Ａから引き出した際に、この引き出した引出体２若しくは交換可能部材２Ａを前記吊上昇降装置３によって吊上可能な状態まで十分に引き出すことができ、更に、引き出した引出体２を機体１を不安定とせずに安定して支承することができる。
【００８７】
機体１の引出収納部１Ａから引き出した引出体２若しくはこの引出体２に離反自在に設けた交換可能部材２Ａを吊り上げる吊上昇降装置３若しくはこの吊上昇降装置３を付設する取付部４を前記機体１の上部位置に設けた構成としている。
【００８８】
具体的には、前記引出体２を水平スライド引き出しする際、この引き出しをガイドすると共に引き出された引出体２の両端部を支承する引出支承延長設置枠部１Ｂを、前記引出収納部１Ａの引出スライドガイド部１Ｃを延長状態にして引出収納部１Ａの引出側に突設し、この機体１の前記引出支承延長設置枠部１Ｂの上部に前記吊上昇降装置３若しくはこの吊上昇降装置３を付設する取付部４を設けた構成としている。
【００８９】
また、前記引出支承延長設置枠部１Ｂの上部に架設部材７を配設して前記取付部４を設け、この取付部４に前記吊上昇降装置３を設けた構成としている。
【００９０】
取付部４は、本体１Ｅの遊離両端部から突設（延設）して成る引出支承延長設置枠部１Ｂの上面部間に架設部材７を架設状態に設けて成る構成とし、この取付部４に吊上昇降装置３を配設した構成としている。
【００９１】
架設部材７は、例えば、引出支承延長設置枠部１Ｂの上部に架設し得る大きさ，形状として前記取付部４を構成し、例えば本体１Ｅの最上面部にして遊離両先端近傍に固定手段（図示省略）を設け、この固定手段により取付部４を連結固定するだけで、引出支承延長設置枠部１Ｂに取付部４を設けることができ、この取付部４に吊上昇降装置３を取り付けることで、機体１に吊上昇降装置３を設けることができる。
【００９２】
これにより、機体１に、簡易な構成にして容易に取付部４を設けることができ、しかも、この取付部４に秀れた支承力を発揮し得る状態で吊上昇降装置３を簡易に取り付けることができる。
【００９３】
尚、その余の構成は第一実施例と同様である。
【００９４】
これにより、引出収納部１Ａから引出体２となる例えば加熱装置をスライドさせて引き出し、この引き出した加熱装置若しくは加熱装置内のヒーター部８や均熱板９等の左右側部にチェーンを固定し、吊上昇降装置３により加熱装置等を所定高さ吊り上げた後（図５参照）、左右どちらかの吊上昇降装置３を吊り上げ操作若しくは吊り下げ操作して前記加熱装置等をある程度傾斜させ（図６参照）、これにより、引出体２を支承するために前記引出体２よりも巾狭に設定された引出支承延長設置枠部１Ｂ内（引出スライドガイド部１Ｃ間）を通過可能とし、前記左右の吊上昇降装置３により前記加熱装置等を下降させ、例えば引出支承延長設置枠部１Ｂの下部（吊上昇降装置３の下方）に配した台車等に前記加熱装置等を載置して前記引出収納部１Ａから前記加熱装置等を取り外す。
【００９５】
そして、別の加熱装置等（再購入した加熱装置等）を台車等により引出支承延長設置枠部１Ｂの下部（吊上昇降装置３の下方）に配置し、前記別の加熱装置等と吊上昇降装置３とをチェーン等で連結し所定高さ上昇させる。
【００９６】
そして、左右のどちらかの吊上昇降装置３を吊り上げ操作若しくは吊り下げ操作して前記別の加熱装置等を傾斜させ、傾斜させることで引出体２を支承するために前記引出体２よりも巾狭に設定された引出支承延長設置枠部１Ｂ内（引出スライドガイド部１Ｃ間）を通過可能とし、前記左右の吊上昇降装置３により引出支承延長設置枠部１Ｂ内を通過上昇させて、前記加熱装置等を取り外した部位において前記別の加熱装置等を水平状態として新しい加熱装置等を取り付けることができる。
【００９７】
尚、本発明は、本実施例に限られるものではなく、各構成要件の具体的構成は適宜設計し得るものである。
【００９８】
【発明の効果】
本発明は上述のように構成したから、これまで交換や取り外しが事実上不可能とされていた、機体に複数段若しくは複数列に設けられた重量のある加熱装置や冷却装置を、各段若しくは各列ごとに交換（取り外し）することを可能としたこれまでにない画期的な複数の引出体を水平スライド引き出し自在に設けた収納装置となる。
【００９９】
即ち、立設状態に配置される機体の引出収納部に水平スライド引出自在にして複数段若しくは複数列設けた引出体を、前記機体の引出収納部に対して引き出し、機体の上部位置に設けた吊上昇降装置若しくは機体の上部位置に設けた取付部に取り付けた吊上昇降装置の吊り上げ，吊り下ろし作動により、引出収納部から前記引出体若しくは前記交換可能部材を吊り上げ，吊り下ろしして機体から取り外し、この取り外した引出体若しくは交換可能部材とは別の引出体若しくは交換可能部材を、前記吊上昇降装置の吊り上げ，吊り下ろし作動により吊り上げ，吊り下ろしして前記機体に取り付けることで、引出体若しくは交換可能部材を交換（取り外し修理）することができる画期的な複数の引出体を水平スライド引き出し自在に設けた収納装置となる。
【０１００】
また、請求項２記載の発明においては、この取付部に付設された吊上昇降装置は、引出収納部から引き出した引出体の上方に位置することとなり、これにより、引出収納部から引出体を単に引き出すだけで、この引き出した引出体若しくは引出体に離反自在に設けた交換可能部材を吊上昇降装置により吊り上げ，吊り下ろし可能な状態にでき、これにより、前記引出体を引出収納部から引き出し、この引き出した引出体若しくは交換可能部材を単に吊上昇降装置により吊り上げ，吊り下ろしするだけで、前記引出体若しくは前記交換可能部材を交換でき、よって、簡易に作業性良く前記引出体若しくは前記交換可能部材の交換（取り外し修理）を行うことができる極めて実用性に秀れた画期的な複数の引出体を水平スライド引き出し自在に設けた収納装置となる。
【０１０１】
また、請求項３記載の発明においては、機体の上部に吊上昇降装置を取り付けるための十分なスペースを容易に確保することができ、その上、架設状態に設けた取付部に吊上昇降装置を取り付けることで、非常に前記取り付けが容易であり、これにより、簡易に本発明の収納装置を形成することができる。
【０１０２】
また、吊上昇降装置を、引出収納部の上部に突設した突出部間に架設した架設部材に取り付けたことで、安定した状態で吊上昇降装置を機体の上部に取り付けることができ、その上、例えば重量のある引出体を吊り上げた前記吊上昇降装置を、前記取付体によって安定して支承することができ、これにより、秀れた支承強度（吊り上げ強度）を発揮して重量のある引出体若しくは交換可能部材をスムーズに吊り上げ，吊り下ろしして秀れた作業性を発揮することができる。
【０１０３】
また、架設部材に吊上昇降装置を設けることで、この吊上昇降装置を突出部間の任意の位置に取り付けることができ、これにより、必要に応じて吊上昇降装置を設ける位置を調整することができ、よって、引出体若しくは交換可能部材を吊り上げるに最適な位置に前記吊上昇降装置を付設することができる極めて実用性に秀れた画期的な複数の引出体を水平スライド引き出し自在に設けた収納装置となる。
【０１０４】
また、請求項４，５記載の発明においては、引出体の左右端部を前記吊上昇降装置により吊り上げ，吊り下げして前記引出体を安定して吊り上げ，吊り下げすることができる極めて実用性，作業性に秀れた複数の引出体を水平スライド引き出し自在に設けた収納装置となる。
【０１０５】
また、請求項６記載の発明においては、機体から引出体を複数引き出しても、これら引き出した引出体は夫々引出支承延長設置枠部を構成する引出スライドガイド部によって確固に支承されるため、機体の重心が前方に片寄ることもなく、これにより、機体から引出体を複数引き出せることで、例えばメンテナンス作業などを非常にスムーズに行えることとなり、秀れた作業性を発揮することができる画期的な複数の引出体を水平スライド引き出し自在に設けた収納装置となる。
【図面の簡単な説明】
【図１】第一実施例の使用状態を示す説明図である。
【図２】第一実施例の説明平面図である。
【図３】第一実施例の説明正面図である。
【図４】第一実施例の交換可能部材を吊り上げた状態を示す説明正面図である。
【図５】第二実施例の使用状態を示す説明図である。
【図６】第二実施例の吊り上げた均熱板を傾斜した状態を示す説明正面図である。
【符号の説明】
１  機体
１Ａ  引出収納部
１Ｂ  引出支承延長設置枠部
１Ｃ  引出スライドガイド部
１Ｅ  本体
２  引出体
２Ａ  交換可能部材
３  吊上昇降装置
４  取付部
４Ａ  突出部
７  架設部材
【図１】
2005015171.tif 000003
【図２】
2005015171.tif 000004
【図３】
2005015171.tif 000005
【図４】
2005015171.tif 000006
【図５】
2005015171.tif 000007
【図６】
2005015171.tif 000008